(57)【要約】【課題】  動画ブログサービスの提供【解決手段】  ブログ動画アップローダー２０は動画情報記憶部１２と、動画情報を配信するストリーミング処理部１６を備えたブログ配信システム１０に、動画をアップロードする。クライアント端末２に記憶された動画ファイルをストリーミング処理部１６で処理可能な動画情報に変換し、変換した動画情報をクライアント端末２の記憶部に記憶させる動画ファイル変換処理部２１と、動画情報をネットワーク１を介してブログ配信システム１０の動画情報記憶部１２に記憶させるアップロード処理部２２とを備えている。【選択図】図１
2007158709.tif 000002
【特許請求の範囲】
【請求項１】
動画情報記憶部と、動画情報を配信するストリーミング処理部を備えたブログ配信システムに、動画をアップロードするブログ動画アップローダーであって、
クライアント端末に記憶された動画ファイルを前記ストリーミング処理部で処理可能な動画情報に変換し、変換した動画情報をクライアント端末の記憶部に記憶させる動画ファイル変換処理部と、
前記クライアント端末の記憶部に記憶させた動画情報を、ネットワークを介してブログ配信システムの動画情報記憶部に記憶させるアップロード処理部とを備えたことを特徴とするブログ動画アップローダー。
【請求項２】
動画情報記憶部およびサムネイル記憶部を備えたブログ配信システムに、動画をアップロードするブログ動画アップローダーであって、
前記動画ファイル変換処理部で変換した動画情報に基づいて、動画中の任意時間の静止画を複数抽出し、抽出した複数の静止画を組み合わせてサムネイルを作成するサムネイル作成部を備え、
前記アップロード処理部は、前記サムネイル作成部で作成したサムネイルを、前記動画情報と関連付け、ネットワークを介して前記ブログ配信システムのサムネイル記憶部に記憶させることを特徴とする請求項１に記載のブログ動画アップローダー。
【請求項３】
動画情報記憶部と、サムネイル記憶部と、レイアウト記憶部とを備えたブログ配信システムに、動画をアップロードするブログ動画アップローダーであって、
前記レイアウト記憶部に記憶されているサムネイルの配置が特定されたブログページの複数のレイアウトから、ユーザーにブログページのレイアウトを選択させるレイアウト選択処理部を備え、
前記アップロード処理部は、前記レイアウト選択処理部で選択されたブログページのレイアウトを、前記動画情報と関連付け、ネットワークを介して前記ブログ配信システムのレイアウト記憶部に記憶させることを特徴とする請求項２に記載のブログ動画アップローダー。
【請求項４】
前記ブログテキストデータを記憶するブログ記憶部と、
前記ブログ記憶部に記憶されたブログテキストデータと関連付けられた、ストリーミング配信可能に処理された動画情報を記憶する動画情報記憶部と、
前記動画情報のサムネイルを記憶するサムネイル記憶部と、
前記動画情報のサムネイルに動画情報の配信処理要求発信処理機能を持たせ、関連付けたブログテキストと共に載せたブログページを、ネットワークを介してクライアント端末に表示させるブログページ表示処理部と、
前記クライアント端末からの動画情報の配信処理要求に基づいて動画情報を配信するストリーミング処理部とを備え、
前記ストリーミング処理部をブログページ表示処理部とは異なるサーバーに設けたことを特徴とするブログ配信システム。
【請求項５】
サムネイルの配置が特定されたブログページの複数のレイアウトを記憶したレイアウト記憶部を備え、ブログページ表示処理部は、前記レイアウト記憶部に記憶されたブログページのレイアウトに沿って、サムネイルを配置して、クライアント端末に表示させるブログページを作成することを特徴とする請求項４に記載のブログ配信システム。
【発明の詳細な説明】
【技術分野】
【０００１】
本発明はブログ配信システムに動画情報をアップロードするブログ動画アップローダーに関するものである。
【背景技術】
【０００２】
インターネットの普及により、ストリーミング動画がより身近なメディアとして認知されつつある。また、動画撮影機能の付いたデジタルカメラやデジタルビデオカメラは急速に普及しており、個人がデジタル動画を撮影する機会が増えている。
【０００３】
また、インターネットユーザーが自ら簡単に情報を発信するサービスとして、ブログと呼ばれるものがある。ブログは、個人や数人のグループで運営され、日々更新される日記的なＷｅｂサイトの総称であり、「Ｗｅｂ」と「Ｌｏｇ」を一語で綴った「ｗｅｂｌｏｇ」の略で「ｂｌｏｇ」を称したものである。現状、ブログのＷｅｂページはテキストデータと写真などの静止画画像で構成されている。そして、最近では、個人のブログページが相互にリンクされるなど、インターネット上で新たなコミュニティーを形成する手段として注目されている。
【発明の開示】
【発明が解決しようとする課題】
【０００４】
ブログページでは主に文書情報や静止画で構成されている。しかし、動画撮影機能が付いたデジタルカメラやデジタルビデオカメラの普及によりユーザー側は、デジタル映像を簡単に作成し易い状況になりつつあり、ブログページで動画を発信したいとのニーズは潜在的にあると思われる。インターネットで動画を配信する技術として、ストリーミング配信などの技術もあり、技術的には実現可能である。
【０００５】
このような状況にあって、ストリーミング配信を行うためには、動画ファイルをストリーミング配信可能なデータに変換するなど高度な知識が必要になる。そのような知識を備えたユーザーは多くない。
【０００６】
また、ブログサイトをサービスとして提供する場合に、ユーザー側で自由に動画の配信を可能にすると、著作権や公序良俗に反するような描写を含む動画が氾濫する可能性もある。そうなるとブログサイトのコミュニティー全体のモラルが低下し、サイトが所謂「荒れる」といった状況になり、良識を備えた優良なユーザーを多く獲得するのが難しくなり、良質なコミュニティーを形成することができず、ブログサイトの価値を低下させる。このため、動画配信を可能にすることにより、ブログサイトの中で良識のある利用者を減少させることも生じると考えられる。
【０００７】
従って、良質なブログサイトを提供する場合には、サービス提供者において、ユーザーがアップロードする動画の内容をチェックすることが必要になると考えられるが、例えば、通信事業者法では、通信事業者に検閲の禁止が定められており、その内容の確認が難しく、効率よく著作権や公序良俗に反するような動画を排除できないという問題もある。
【課題を解決するための手段】
【０００８】
本発明に係るブログ動画アップローダーは動画情報記憶部と、動画情報を配信するストリーミング処理部を備えたブログ配信システムに、動画をアップロードするブログ動画アップローダーであって、クライアント端末に記憶された動画ファイルをストリーミング処理部で処理可能な動画情報に変換し、変換した動画情報をクライアント端末の記憶部に記憶させる動画ファイル変換処理部と、クライアント端末の記憶部に記憶させた動画情報を、ネットワークを介してブログ配信システムの動画情報記憶部に記憶させるアップロード処理部とを備えている。
【０００９】
ブログ動画アップローダーは、動画ファイル変換処理部で変換した動画情報に基づいて、動画中の任意時間の静止画を複数抽出し、抽出した複数の静止画を組み合わせてサムネイルを作成するサムネイル作成部を備え、アップロード処理部は、サムネイル作成部で作成したサムネイルを動画情報と関連付け、ネットワークを介してブログ配信システムのサムネイル記憶部に記憶させてもよい。
【００１０】
また、サムネイルの配置が特定されたブログページの複数のレイアウトから、ユーザーにブログページのレイアウトを選択させるレイアウト選択処理部を備え、アップロード処理部が、レイアウト選択処理部で選択されたブログページのレイアウトを、動画情報と関連付け、ネットワークを介してブログ配信システムのレイアウト記憶部に記憶させてもよい。
【００１１】
また、本発明に係るブログ配信システムは、ブログテキストデータを記憶するブログ記憶部と、ブログ記憶部に記憶されたブログテキストデータと関連付けられた、ストリーミング配信可能に処理された動画情報を記憶する動画情報記憶部と、動画情報のサムネイルを記憶するサムネイル記憶部と、動画情報のサムネイルに動画情報の配信処理要求発信処理機能を持たせ、関連付けたブログテキストと共に載せたブログページを、ネットワークを介してクライアント端末に表示させるブログページ表示処理部と、クライアント端末からの動画情報の配信処理要求に基づいて動画情報を配信するストリーミング処理部とを備え、ストリーミング処理部をブログページ表示処理部とは異なるサーバーに設けたものである。
【００１２】
また、ブログ配信システムは、サムネイルの配置が特定されたブログページの複数のレイアウトを記憶したレイアウト記憶部を備え、ブログページ表示処理部が、レイアウト記憶部に記憶されたブログページのレイアウトに沿って、サムネイルを配置して、クライアント端末に表示させるブログページを作成するようにしてもよい。
【発明の効果】
【００１３】
このブログ動画アップローダーは、ストリーミング処理部を備え、ユーザーがプログへの動画のアップロードを容易にすることができる。また、上記のサムネイル作成部を備えたものは、動画中の任意時間の静止画を複数抽出し、抽出した複数の静止画を組み合わせてサムネイルを作成するので、サービス提供者において、アップロードされた動画の内容をサムネイルによりチェックでき、サービス提供者による管理負担を軽減させることができる。
【００１４】
また、ブログ配信システムは、ストリーミング処理部をブログページ表示処理部とは異なるサーバーに設けたので、動画のストリーミング配信により、ブログページの表示が遅くなったりすることがない。また、サムネイルの配置が特定されたブログページの複数のレイアウトを記憶したレイアウト記憶部を備えたものは、定型のレイアウトでブログページが作成されるため、ユーザーの作業負担を軽減できる。
【発明を実施するための最良の形態】
【００１５】
以下、本発明の一実施形態に係るブログ動画アップローダーおよびブログ配信システムを図面に基づいて説明する。
【００１６】
ブログ配信システム１０は、図１に示すように、ブログ記憶部１１と、動画情報記憶部１２と、サムネイル記憶部１３と、レイアウト記憶部１４と、ブログページ表示処理部１５と、ストリーミング処理部１６を備えている。図１中、１はインターネットなどのネットワーク、２はクライアント端末、２０はブログ動画アップローダー、３１はデジタル動画ファイルなどを記憶したクライアント端末２の記憶部、３２はクライアント端末２に接続されたデジタルビデオカメラをそれぞれ示している。ブログ配信システム１０のブログ記憶部１１と、動画情報記憶部１２と、サムネイル記憶部１３と、レイアウト記憶部１４と、ブログページ表示処理部１５と、ストリーミング処理部１６、および、ブログ動画アップローダー２０はそれぞれコンピュータのハードウェアを所定のプログラムに従って動作させることにより実現している。
【００１７】
ブログ記憶部１１はブログテキストデータを記憶するものである。動画情報記憶部１２は、ストリーミング配信可能に処理された動画情報を記憶するものである。サムネイル記憶部１３は動画情報のサムネイルを記憶するものである。レイアウト記憶部１４は、サムネイルの配置が特定されたブログページの複数のレイアウトと、ユーザーのレイアウト選択情報を記憶したものである。ブログ記憶部１１に記憶されたブログテキストデータと、動画情報記憶部１２に記憶された動画情報と、サムネイル記憶部１３に記憶されたサムネイルと、レイアウト記憶部１４に記憶されたレイアウト選択情報は、データベースなどにより相互に関連付けられる。
【００１８】
ブログページ表示処理部１５は、動画情報のサムネイルに動画情報の配信処理要求発信処理機能を持たせ、関連付けたブログテキストと共に載せたブログページを、ネットワーク１を介してクライアント端末２に表示させるものである。
【００１９】
すなわち、このブログページ表示処理部１５は、例えば、図２に示すように、動画情報のサムネイル１０１をブログページ１００の中に掲載するものである。図２中、１０２はブログのブログテキストである。ブログページ１００に表示されるサムネイル１０１にはパソコンのディスプレイ上で、マウスポインタで選択してクリックできるボタンの機能を付加する。そして、サムネイル１０１をクリックすると、ブログ配信システム１０にサムネイル１０１に関連付けられた動画情報をストリーミング配信させることを要求する配信処理要求発信処理を行うプログラムを起動させるように構成している。
【００２０】
なお、ブログページ表示処理部１５では、サムネイル１０１をどのように表示するか、予め数種類のブログページ１００のレイアウトを作成し、レイアウト記憶部１４に記憶させ、この中からブログページ１００のレイアウトをユーザーに選択させ、そのレイアウトに従って自動的にブログページ１００が作成されるようにしておくとよい。ユーザーは予め用意されたレイアウトから気に入ったものを適宜選択できるので、簡単に、好きなレイアウトのブログページ１００を作成することができるので、ユーザーは簡単にブログページ１００を更新できる。これにより、ユーザーの作業負担を軽減することができる。
【００２１】
ストリーミング処理部１６は、クライアント端末２からの動画情報の配信処理要求に基づいて動画情報をストリーミング配信するものである。
【００２２】
このブログ配信システム１０は、ストリーミング処理部１６をブログページ表示処理部１５とは異なるサーバーに設けている。これにより、ストリーミング処理部１６で動画のストリーミング配信を行っている場合でも、ブログページ１００を表示させる処理速度が遅くなるのを防止することができる。また、このように構成することにより、サービス提供者のインフラ整備負担を軽減することができる。
【００２３】
なお、ブログは特定のユーザーが更新していくものであるから、ブログ配信システム１０は予めユーザー登録をさせておき、クライアント端末２から発信されたユーザー情報に基づいて、ユーザー認証を行い、個々のブログページを特定のユーザーが更新できるようにするとよい。
【００２４】
次に、ブログ動画アップローダーを説明する。
【００２５】
ブログ動画アップローダー２０は、図１に示すように、上述したように動画情報記憶部１２と、動画情報を配信するストリーミング処理部１６を備えたブログ配信システム１０に動画をアップロードするものである。
【００２６】
このブログ動画アップローダー２０は、動画ファイル変換処理部２１と、アップロード処理部２２と、サムネイル作成部２３と、レイアウト選択処理部２４を備えている。
【００２７】
動画ファイル変換処理部２１は、クライアント端末２に記憶された動画ファイルをストリーミング処理部１６で処理可能な動画情報に変換し、変換した動画情報をクライアント端末２の記憶部３１に記憶させるものである。
【００２８】
アップロード処理部２２は、クライアント端末２の記憶部３１に記憶させた動画情報を、ネットワーク１を介してブログ配信システム１０の動画情報記憶部１２に記憶させるものである。
【００２９】
サムネイル作成部２３は、動画ファイル変換処理部２１で変換した動画情報に基づいて、動画中の任意時間の静止画を複数抽出し、抽出した複数の静止画を組み合わせてサムネイルを作成するものである。
【００３０】
レイアウト選択処理部２４は、レイアウト記憶部１４に記憶されているサムネイルの配置が特定されたブログページの複数のレイアウトから、ユーザーにブログページのレイアウトを選択させるレイアウト選択情報をクライアント端末２に記憶させるものである。
【００３１】
アップロード処理部２２は、クライアント端末２の記憶部に記憶させた動画情報を、ネットワーク１を介してブログ配信システム１０の動画情報記憶部１２に記憶させものであり、この実施形態では、さらに、サムネイル作成部２３で作成したサムネイル１０１を動画情報と関連付け、ネットワーク１を介してブログ配信システム１０のサムネイル記憶部１３に記憶させている。また、アップロード処理部２２は、レイアウト選択処理部２４で選択されたブログページ１００のレイアウトに関するレイアウト選択情報を、動画情報と関連付け、ネットワーク１を介してブログ配信システム１０のレイアウト記憶部１４に記憶させる。
【００３２】
動画情報記憶部１２に動画情報が記憶され、さらにサムネイル記憶部１３にサムネイル１０１が記憶されると、ブログ配信システム１０において、インターネットなどのネットワークを介してブログページ１００が更新され、ブログページ１００内に掲載されたサムネイル１０１をクリックすると、動画がストリーミング配信される。
【００３３】
このブログ動画アップローダー２０は、動画ファイル変換処理部２１を備え、動画ファイルからクライアント端末２でストリーミング配信可能な動画情報を作成することができる。このように動画ファイルを変換する場合には、動画ファイルのどの時間帯を変換するか、また、実際にストリーミング配信する際には、通信速度や端末の処理速度などを考慮し、これに適したデータ量で配信する必要がある。
【００３４】
このため、この実施形態では、ブログ動画アップローダー２０は、画質や動画の大きさなどを設定するエンコード設定を所定の設定画面により、ユーザーに選択させるようにしている。これによりユーザーの操作性を向上させている。
【００３５】
また、ストリーミング処理部で処理された動画情報は、実際にアップロード処理が行われる前に、ユーザーが確認できるようにしてもよい。例えば、クライアント端末２で、ストリーミング処理部された動画情報を動作させるメディアソフトを立ち上げさせて、クライアント端末２で動画情報を再生させて確認させるとよい。
【００３６】
また、このブログ動画アップローダー２０は、サムネイル作成部２３が、動画情報に基づいて動画中の任意時間の静止画を複数抽出し、抽出した複数の静止画を組み合わせてサムネイル１０１を作成するようにしている。このサムネイル作成部２３で作成されたサムネイル１０１は、動画の任意の時間から抽出した複数の静止画を組み合わせたものであり、どのようなサムネイル１０１が作成されるかは、ユーザーが調整できないようにしている。
【００３７】
このため、ユーザーがブログページで配信しようとする動画情報に著作権や公序良俗に反する描写などがある場合には、動画の任意の時間から抽出した複数の静止画を組み合わせたサムネイル１０１のいずれかの静止画に反映させることができる。サムネイル１０１はアップロード処理部でアップロードされると、図２に示すように、ブログページ１００に載せられるので、サービス管理者において、ブログページ１００のサムネイル１０１を見れば、動画の内容がある程度理解でき、著作権や公序良俗に反する描写が配信されているブログページ１００を削除するなどの処置が効率よく行える。これによりサービス提供者の管理負担を軽減することができる。
【００３８】
このブログ動画アップローダー２０は、数種類のブログページ１００のレイアウト、ユーザーにブログページ１００のレイアウトを選択させ、レイアウト選択情報をブログ配信システム１０に送信し、そのレイアウトに従って自動的にブログページ１００が作成されるようにしている。これにより、ユーザーは簡単に好きなレイアウトのブログページ１００を作成することができるようになり、ユーザーの作業負担を大幅に軽減することができる。
【００３９】
以上、本発明の一実施形態に係るブログ配信システムおよびブログ動画アップローダーを説明したが、本発明に係るブログ配信システムおよびブログ動画アップローダーは上記の実施形態に限定されるものではない。
【図面の簡単な説明】
【００４０】
【図１】本発明の一実施形態に係るブログ動画アップローダーおよびブログ配信システムの概略構成を示す図。
【図２】本発明の一実施形態に係るブログ配信システムで配信される動画配信機能付きブログページを示す図。
【符号の説明】
【００４１】
１     ネットワーク（インターネット）
２     クライアント端末
１０   ブログ配信システム
１１   ブログ記憶部
１２   動画情報記憶部
１３   サムネイル記憶部
１４   レイアウト記憶部
１５   ブログページ表示処理部
１６   ストリーミング処理部
２０   ブログ動画アップローダー
２１   動画ファイル変換処理部
２２   アップロード処理部
２３   サムネイル作成部
２４   レイアウト選択処理部
３１   記憶部
１００ ブログページ
１０１ サムネイル
【図１】
2007158709.tif 000003
【図２】
2007158709.tif 000004